【手続補正書】
【提出日】平成19年3月9日(2007.3.9)
【手続補正１】
【補正対象書類名】明細書
【補正対象項目名】全文
【補正方法】変更
【補正の内容】
【書類名】    明細書
【発明の名称】防災装置
【特許請求の範囲】
【請求項１】複数個の物品を備え、これらが集合した状態と分離した状態とに変換可能であり、分離した状態の時に避難空間が形成され得るようになっている防災装置。
【請求項２】請求項１において、物品はベッド体であり、同ベッド体は、分離時における少なくとも上面に発泡樹脂やゴム等の弾性材料を備えている防災装置。
【請求項３】請求項２において、ベッド体は、その内部に収容空間を有する防災装置。
【請求項４】請求項２または３において、ベッド体の分離は、ベッド体設置面に平行な運動によりなされるようになっている防災装置。
【請求項５】請求項２から４までのいずれかにおいて、ベッド体の分離は、回動を伴ってなされるようになっている防災装置。
【発明の詳細な説明】
【０００１】
【発明の属する技術分野】
この発明は、地震や洪水などの災害に対する防災装置で、特に、簡易なるベッドを主たる対象にしたものに関する。
【０００２】
【従来の技術】
例えば、就寝時における地震による家屋の倒壊等の非常事態には安全性を確保しておく必要がある。
【０００３】
【発明が解決しようとする課題】
ところで、こうした事態に対応し得る防災装置としては各種のものが提案されている。しかし、いずれも鋼材等を組み合わせて対応する構造であるため、大掛かりで高価につくもので普及には不向きな面がある。
【０００４】
この発明は前記課題を解決するためになされたもので、簡易な構成で有効に機能する防災手段を安価にして提供できるようにすることを目的とする。
【０００５】
【課題を解決するための手段】
前記課題を解決するため、請求項１記載の発明は、複数個の物品を備え、これらが集合した状態と分離した状態とに変換可能であり、分離した状態の時に避難空間が形成され得るようになっている。
【０００６】
請求項２記載の発明は、請求項１において、物品はベッド体であり、同ベッド体は、分離時における少なくとも上面に発泡樹脂やゴム等の弾性材料を備えている。
【０００７】
請求項３記載の発明は、請求項２において、ベッド体は、その内部に収容空間を有する。
【０００８】
請求項４記載の発明は、請求項２または３において、ベッド体の分離は、ベッド体設置面に平行な運動によりなされるようになっている。
【０００９】
請求項５記載の発明は、請求項２から４までのいずれかにおいて、ベッド体の分離は、回動を伴ってなされるようになっている。
【００１０】
【発明の実施の形態】
以下、図示した実施形態を参照してこの発明を詳細に説明する。図１ないし図３は、この発明の一実施形態を示すもので、図１は、図２のＩ−Ｉ線矢視図、図２は防災装置の前面図、図３は作用説明図である。
【００１１】
同実施形態において、１はベッド体で、同ベッド体１は、発泡樹脂製の緩衝体２が上面材とされ、その下側に硬質発泡樹脂製の架台３を備えている。緩衝体２は、ベッド体１を上下に分割せず一体型にすることもある。
【００１２】
ベッド体１は、左右１対のものを設置面（畳やフロアー等）４上に図１及び図２のように隣合わせにして設置しておき、その上に１枚ものの敷材（マットレスや敷布団等）５を備え、枕６や掛布団７等を備える。この状態が就寝時の状態である。
【００１３】
そして、地震が発生し、特に、震度が例えば、５以上の場合、地震センサー（図示省略）に連動して分離駆動手段が起動する。これにより、図３に示すように、ベッド体１，１が設置面４に沿って平行に分離運動することにより、敷材５等の寝具とともに寝ていた者８がくるまれた形で分離してできた空間９内に自然に落ち込むようになる。
【００１４】
その結果、家屋が倒壊してきても倒壊したものはまず緩衝体２に当たって緩衝されたあと架台３に負荷が伝達され、人は両ベッド体１，１間の安全空間で助かる。尚、通常のベッドのように頭部側に遮蔽板を備えてもよい。
【００１５】
尚、以下の実施形態でも言えることであるが、架台３は金や木、プラスチックなどで枠体や筒体を形成してなるものでもよい。また、分離する間隔は、図３のものより大でもよい。さらに、架台３内に避難できる構造にしてもよい。
【００１６】
図４に示す実施形態は、立壁１１寄りに防災装置を設置するものについての実施形態で、同実施形態では、ベッド体１の一方は立壁１１側に定着し、他方のみが開くように分離するものになっている。
【００１７】
図５に示す実施形態は、架台３が長い受皿状の発泡樹脂製のものでなり、その内部に衣類収容空間１３や防災用具収容空間１４を形成し、さらに飲料水収容空間１５などを形成したもので、適宜に補強板１６…等が付される。この構成は図１ないし図４、その他の実施形態にも適用できる。
【００１８】
図６に示す実施形態は、ベッド体１を美観的によくししかも発泡樹脂製である場合に倒壊で粉々に飛散しないように紙・樹脂シート・布等の外装材１８によりくるんだものである。尚、ベッド体１と敷材５とを両面テープ１９により接着してもよい。
【００１９】
図７及び図８に示す実施形態は、一方のベッド体１は前記のように長く他方のベッド体１は多少短くて別に補助体２１を組み合わせたものである。補助体２１は、図８に示すように、非常時に残されるので、脚（あるいは逆位置にした時は頭部）を護る。
【００２０】
図９及び図１０に示す実施形態は、ベッド体１，１を左右に平行に分離可能にしたものにおいて、緊急レバー２３を操作することで両ベッド体１，１が分離動作するようにしたものである。すなわち、一方のベッド体１内にはスプリング２４が内蔵されてこれがベッド体１，１相互を押さえ付けることで圧縮状態でセットされている。そのロックは、Ｕ形の受枠２５，２５の突起２５ａ，２５ａを摘むようにするロック片２６によりなされる。このロック片２６の持ち上げは、前記レバー２３と鎖２７を介してなされる。レバー２３を緊急時に押し込むと、鎖２７が引き上げられ、ロック片２６が持ち上がって両突起２５ａ，２５ａから外れる。これにより、スプリング２４が初めて作用して両ベッド体１，１は、図１０の仮想線のように分離する。この場合、一方のベッド体１には立壁が近接してもよい。
【００２１】
尚、図９の仮想線２８のように連動軸を通して一方のレバー２３を操作することで前後のロック解除機構が同時に作用するようにしてもよい。レバーは脚で操作できるようにしてもよい。この場合、起き上がる必要がなく安全である。
【００２２】
図１１に示す実施形態は、ベッド体１，１が回転軸３０を中心に水平に開くことで分離するようにしたものである。この場合回転軸３０でベッド体１，１が結合されたままになるがこれもここで分離ということにする。この実施形態の場合、開く側は頭部の側になっているが、逆でもよい。両ベッド体１，１は一端が回転軸３０で連結され、その場合、バネ板等のスプリング３１を両ベッド体１，１間に圧縮状態で介装しておく。ベッド体１，１の他端は、図１２に示すように、各ベッド体１に連結された１対の連結体３２，３２にピン３３を差し込むとともにピン３３を上から引き抜けるようにしておく。ピン３３を引き抜くのは動力を使用してもよい。センサーで作動するようにしてもよい。このセンサーによる連動の方式はいうまでもなく他の実施形態に全て適用することができる。尚、回転軸３０は一定の角度に開くことで分解するような構造のものにしてもよい。
【００２３】
図１３に示す実施形態は、非常時に操作レバー３５を操作すると、ボンベ３４内のエアーあるいは液体等の流体がベローズ３６内に緊急注入され、これにより、両ベッド体１，１が開くようになっている。ベローズ３６は保護のためベッド体１の上部高さにもってきてもよい。センサーにより連動するようにしてもよい。
【００２４】
図１４はベッド体１を横からみたもので、その架台３の側面形状は湾曲等の切り取り部３７…を有するものになっている。これにより、緩衝作用があるとともに美的でもある。尚、緩衝体２の底面や架台３の上面等に同様のものを施してもよい。
【００２５】
図１５に示す実施形態は、ベッド体１，１をシリンダ（エアーあるいはオイル等の流体シリンダ）３９で平行にあるいは回転するように開くものにしてある。シリンダ３９は、破線のようにタンク４０とポンプ４１をベッド体１内に内蔵式にセットしておく場合と、仮想線のように室内あるいは室外にタンク４０とポンプ４１をセットして配管しておく場合とがある。ポンプ４１は、電動式でもよいが手動により予め手巻きされたエネルギーで作動するものでもよい。センサーで作動する場合とレバー等の手動操作により作動させる場合とがある。
【００２６】
図１６及び図１７に示す実施形態は、発泡樹脂等により架台３を構成した場合に、その内部に補強体４３を埋め込みあるいは挿入するようにしたものである。尚、図１６に仮想線で示すように円柱等による補強体４４…を装備してもよい。
【００２７】
図１８は、一方のベッド体１は長いままで他方のベッド体１を前後２分割式にして図示矢印のうち適宜の方向に作用するようにしたものである。図１９は、前後にベッド体１…を複数に分割しそれぞれを矢印のように適宜方向に分離するようにしたものである。
【００２８】
図２０に示す実施形態は、敷材５がずれ出ないように緩衝体２の周縁に突起４６を付したものである。
【００２９】
図２１に示す実施形態は、丸軸あるいはパイプ状の補強材４８を架台３上面の凹み内に通して敷材５で覆ったものである。この場合、補強材４８は、非常時に抜き去れば長尺状救助バール等として機能する。
【００３０】
図２２に示す実施形態は、ベッド体１，１の一方あるいは双方を回動させて立ち上がらせることで相互間に安全空間を形成するようにしたものである。尚、架台３には補強体５０を装備し立ち上がった時に倒壊物がここに当たるようにしてある。
【００３１】
図２３及び図２４に示す実施形態は、（株）トータク製として市販の既製品である四角筒状プラスチック製太管をベッド体１として使用したもので、適宜長さにカットしたものをベッド体１，１として利用しその内部に仕切状に補強体５２…を装備したものである。同ベッド体１内には、図２４に示すように、発泡樹脂製の補強体５３…を内装したり、衣類や水パックや緩衝体を入れることのできるダンボールを補強体５４…としてもよい。
【００３２】
図２５に示す実施形態は、一方のベッド体１は前記のようなもので他方のベッド体１の架台３がドラム等になっていて側方に回動して分離するようになっている。
【００３３】
図２６に示す実施形態は、一方のベッド体１が三角柱状で他方のベッド体１が丸体になっているもので、他方のベッド体１が横方向にずれると相互間に安全空間が形成される。前記一方のベッド体１の上側の敷材５は矢印のように一方に落ち込む。
【００３４】
図２７及び図２８に示す実施形態は、回動により安全空間が形成されるもので、架台３は部分円形の断面で回動中心５６回りに回動する。架台３の側部コーナー側には緩衝体２が装備されている。そして、通常は、図２７に示すように、ベッド体１，１が左右に面一状になるように低く形成され、その上に上面材５７が載せられている。ベッド体１の長手方向両端側には遮蔽板５８が固定式に設置され、それに左右１対の回動中心５６を介して図２８のようにベッド体１，１が立ち上がるようになっている。この立ち上がりは、重り５９によりなされる。６０はストッパである。ベッド体１が立ち上がるとベッド体１間に安全空間が形成されるとともに、緩衝体２が上にくるので緩衝効果が有効に得られる。尚、図２７に仮想線で示すように、ロックリンク６１で図２７の状態にロックされ、同リンク６１を外すことで図２８の状態になる。
【００３５】
図２９は、付加的な例を示す。同例は、発泡樹脂製のブロック状架台３を複数配し、これらの間に机６３を架設して構成したもので、机６３の下方の空間を安全空間として利用することもできる。図３０に示す例は、天井６５・立壁６６・床壁６７を構成する家屋において、天井６５等に緩衝体６８をはり付けて倒壊時の安全確保を図るようにしたものである。尚、ベッド体１については、立壁６６に縦掛けておくこともできる。
【００３６】
尚、立壁６６には丸柱状の緩衝体７０…を備え付けてもよい。
【００３７】
図３１の例は、発泡樹脂製のブロック７２…に板７３を渡してその下方空間を安全空間としたものである。尚、ブロック７２には非常用具や飲料水等を入れる孔７４を形成してもよい。
【００３８】
【発明の効果】この発明は以上のように、簡易な構成で有効に機能する防災手段を安価にして提供できるようになる。
【図面の簡単な説明】
【図１】この発明の一実施形態で図１のＩ−Ｉ線矢視図。
【図２】図１の正面図。
【図３】図２の作用説明図。
【図４】他の実施形態を示す作用説明図。
【図５】他の実施形態を示す断面図。
【図６】他の実施形態を示す正面図。
【図７】他の実施形態を示す平面図。
【図８】図７の実施形態の作用説明図。
【図９】他の実施形態を示す平面図。
【図１０】図９の実施形態の正面図。
【図１１】他の実施形態を示す平面図。
【図１２】ロック機構の部分を示す正面図。
【図１３】他の実施形態を示す平面図。
【図１４】他の実施形態を示す側面図。
【図１５】他の実施形態を示す平面図。
【図１６】他の実施形態を示す一部切欠側面図。
【図１７】図１６の正面図。
【図１８】他の実施形態を示す平面図。
【図１９】他の実施形態を示す平面図。
【図２０】他の実施形態を示す正面図。
【図２１】他の実施形態を示す正面図。
【図２２】他の実施形態を示す正面図。
【図２３】他の実施形態を示す正面図。
【図２４】図２３の架台を示す斜視図。
【図２５】他の実施形態を示す正面からの模式図。
【図２６】他の実施形態を示す正面からの模式図。
【図２７】他の実施形態を示す横断面図。
【図２８】図２７の作用説明図。
【図２９】他の実施形態を示す斜視図。
【図３０】他の実施形態を示す模式図。
【図３１】他の実施形態を示す斜視図。
【符号の説明】
１…ベッド体  ２…緩衝体  ３…架台  ４…設置面  ５…敷材  ９…空間
【手続補正２】
【補正対象書類名】図面
【補正対象項目名】図３２
【補正方法】削除
【補正の内容】
【手続補正３】
【補正対象書類名】図面
【補正対象項目名】図３３
【補正方法】削除
【補正の内容】
【手続補正４】
【補正対象書類名】図面
【補正対象項目名】図３４
【補正方法】削除
【補正の内容】
【手続補正５】
【補正対象書類名】図面
【補正対象項目名】図３５
【補正方法】削除
【補正の内容】
【手続補正６】
【補正対象書類名】図面
【補正対象項目名】図３６
【補正方法】削除
【補正の内容】
【手続補正７】
【補正対象書類名】図面
【補正対象項目名】図３７
【補正方法】削除
【補正の内容】
【手続補正８】
【補正対象書類名】図面
【補正対象項目名】図３８
【補正方法】削除
【補正の内容】
【手続補正９】
【補正対象書類名】図面
【補正対象項目名】図３９
【補正方法】削除
【補正の内容】
【手続補正１０】
【補正対象書類名】図面
【補正対象項目名】図４０
【補正方法】削除
【補正の内容】
【手続補正１１】
【補正対象書類名】図面
【補正対象項目名】図４１
【補正方法】削除
【補正の内容】
【手続補正１２】
【補正対象書類名】図面
【補正対象項目名】図４２
【補正方法】削除
【補正の内容】
【手続補正１３】
【補正対象書類名】図面
【補正対象項目名】図４３
【補正方法】削除
【補正の内容】
【手続補正１４】
【補正対象書類名】図面
【補正対象項目名】図４４
【補正方法】削除
【補正の内容】
【手続補正１５】
【補正対象書類名】図面
【補正対象項目名】図４５
【補正方法】削除
【補正の内容】
【手続補正１６】
【補正対象書類名】図面
【補正対象項目名】図４６
【補正方法】削除
【補正の内容】
【手続補正１７】
【補正対象書類名】図面
【補正対象項目名】図４７
【補正方法】削除
【補正の内容】
【手続補正１８】
【補正対象書類名】図面
【補正対象項目名】図４８
【補正方法】削除
【補正の内容】
【手続補正１９】
【補正対象書類名】図面
【補正対象項目名】図４９
【補正方法】削除
【補正の内容】
【手続補正２０】
【補正対象書類名】図面
【補正対象項目名】図５０
【補正方法】削除
【補正の内容】
【手続補正２１】
【補正対象書類名】図面
【補正対象項目名】図５１
【補正方法】削除
【補正の内容】
【手続補正２２】
【補正対象書類名】図面
【補正対象項目名】図５２
【補正方法】削除
【補正の内容】
【手続補正２３】
【補正対象書類名】図面
【補正対象項目名】図５３
【補正方法】削除
【補正の内容】
【手続補正２４】
【補正対象書類名】図面
【補正対象項目名】図５４
【補正方法】削除
【補正の内容】
【手続補正２５】
【補正対象書類名】図面
【補正対象項目名】図５５
【補正方法】削除
【補正の内容】
【手続補正２６】
【補正対象書類名】図面
【補正対象項目名】図５６
【補正方法】削除
【補正の内容】
【手続補正２７】
【補正対象書類名】図面
【補正対象項目名】図５７
【補正方法】削除
【補正の内容】
【手続補正２８】
【補正対象書類名】図面
【補正対象項目名】図５８
【補正方法】削除
【補正の内容】
【手続補正２９】
【補正対象書類名】図面
【補正対象項目名】図５９
【補正方法】削除
【補正の内容】
【手続補正３０】
【補正対象書類名】図面
【補正対象項目名】図６０
【補正方法】削除
【補正の内容】
【手続補正３１】
【補正対象書類名】図面
【補正対象項目名】図６１
【補正方法】削除
【補正の内容】
【手続補正３２】
【補正対象書類名】図面
【補正対象項目名】図６２
【補正方法】削除
【補正の内容】
【手続補正３３】
【補正対象書類名】図面
【補正対象項目名】図６３
【補正方法】削除
【補正の内容】
【手続補正３４】
【補正対象書類名】図面
【補正対象項目名】図６４
【補正方法】削除
【補正の内容】
【手続補正３５】
【補正対象書類名】図面
【補正対象項目名】図６５
【補正方法】削除
【補正の内容】
【手続補正３６】
【補正対象書類名】図面
【補正対象項目名】図６６
【補正方法】削除
【補正の内容】
【手続補正３７】
【補正対象書類名】図面
【補正対象項目名】図６７
【補正方法】削除
【補正の内容】
【手続補正３８】
【補正対象書類名】図面
【補正対象項目名】図６８
【補正方法】削除
【補正の内容】
【手続補正３９】
【補正対象書類名】図面
【補正対象項目名】図６９
【補正方法】削除
【補正の内容】
【手続補正４０】
【補正対象書類名】図面
【補正対象項目名】図７０
【補正方法】削除
【補正の内容】
【手続補正４１】
【補正対象書類名】図面
【補正対象項目名】図７１
【補正方法】削除
【補正の内容】
【手続補正４２】
【補正対象書類名】図面
【補正対象項目名】図７２
【補正方法】削除
【補正の内容】
【手続補正４３】
【補正対象書類名】図面
【補正対象項目名】図７３
【補正方法】削除
【補正の内容】
【手続補正４４】
【補正対象書類名】図面
【補正対象項目名】図７４
【補正方法】削除
【補正の内容】
【手続補正４５】
【補正対象書類名】図面
【補正対象項目名】図７５
【補正方法】削除
【補正の内容】
【手続補正４６】
【補正対象書類名】図面
【補正対象項目名】図７６
【補正方法】削除
【補正の内容】
【手続補正４７】
【補正対象書類名】図面
【補正対象項目名】図７７
【補正方法】削除
【補正の内容】
【手続補正４８】
【補正対象書類名】図面
【補正対象項目名】図７８
【補正方法】削除
【補正の内容】
【手続補正４９】
【補正対象書類名】図面
【補正対象項目名】図７９
【補正方法】削除
【補正の内容】
【手続補正５０】
【補正対象書類名】図面
【補正対象項目名】図８０
【補正方法】削除
【補正の内容】
【手続補正５１】
【補正対象書類名】図面
【補正対象項目名】図８１
【補正方法】削除
【補正の内容】
【手続補正５２】
【補正対象書類名】図面
【補正対象項目名】図８２
【補正方法】削除
【補正の内容】
【手続補正５３】
【補正対象書類名】図面
【補正対象項目名】図８３
【補正方法】削除
【補正の内容】
【手続補正５４】
【補正対象書類名】図面
【補正対象項目名】図８４
【補正方法】削除
【補正の内容】
【手続補正５５】
【補正対象書類名】図面
【補正対象項目名】図８５
【補正方法】削除
【補正の内容】
【手続補正５６】
【補正対象書類名】図面
【補正対象項目名】図８６
【補正方法】削除
【補正の内容】
【手続補正５７】
【補正対象書類名】図面
【補正対象項目名】図８７
【補正方法】削除
【補正の内容】
【手続補正５８】
【補正対象書類名】図面
【補正対象項目名】図８８
【補正方法】削除
【補正の内容】
【手続補正５９】
【補正対象書類名】図面
【補正対象項目名】図８９
【補正方法】削除
【補正の内容】
【手続補正６０】
【補正対象書類名】図面
【補正対象項目名】図９０
【補正方法】削除
【補正の内容】
【手続補正６１】
【補正対象書類名】図面
【補正対象項目名】図９１
【補正方法】削除
【補正の内容】
【手続補正６２】
【補正対象書類名】図面
【補正対象項目名】図９２
【補正方法】削除
【補正の内容】
【手続補正６３】
【補正対象書類名】図面
【補正対象項目名】図９３
【補正方法】削除
【補正の内容】
【手続補正６４】
【補正対象書類名】図面
【補正対象項目名】図９４
【補正方法】削除
【補正の内容】
【手続補正６５】
【補正対象書類名】図面
【補正対象項目名】図９５
【補正方法】削除
【補正の内容】
【手続補正６６】
【補正対象書類名】図面
【補正対象項目名】図９６
【補正方法】削除
【補正の内容】
【手続補正６７】
【補正対象書類名】図面
【補正対象項目名】図９７
【補正方法】削除
【補正の内容】
【手続補正６８】
【補正対象書類名】図面
【補正対象項目名】図９８
【補正方法】削除
【補正の内容】